(57)【要約】  画像読取装置が電子ペーパーを読み取る場合に、ユーザの意図しない読み取りが行われないようにする。  画像データに基づく画像を表示する電子ペーパーと通信可能な画像読取装置は、前記電子ペーパーに表示された画像を読み取る際に、前記電子ペーパーのサイズに基づいて読み取るか前記画像データのサイズに基づいて読み取るかを選択し、選択結果に従って、前記電子ペーパーに表示させる画像の表示内容の変更を当該電子ペーパーに指示する。
2010150363.tif 000002
【特許請求の範囲】
【請求項１】
画像データに基づく画像を表示する電子ペーパーと通信可能な画像読取装置であって、
前記電子ペーパーに表示された画像を読み取る際に、前記電子ペーパーのサイズに基づいて読み取るか前記画像データのサイズに基づいて読み取るかを選択する選択手段と、
前記選択手段による選択結果に従って、前記電子ペーパーに表示させる画像の表示内容の変更を当該電子ペーパーに指示する指示手段と、
を有することを特徴とする画像読取装置。
【請求項２】
前記電子ペーパーのサイズと前記画像データのサイズが同じであるか否かを判断する判断手段を更に有し、
前記指示手段は、前記判断手段によって前記電子ペーパーのサイズと前記画像データのサイズが同じであると判断されなかった場合に、前記電子ペーパーに表示させる画像の表示内容の変更を指示することを特徴とする請求項１記載の画像読取装置。
【請求項３】
前記選択手段によって前記電子ペーパーのサイズに基づく読み取りが選択され、且つ、前記電子ペーパーのサイズが前記画像データのサイズよりも大きい場合、前記指示手段は前記画像データを前記電子ペーパーのサイズに拡大して表示するよう指示し、
前記選択手段によって前記電子ペーパーのサイズに基づく読み取りが選択され、且つ、前記電子ペーパーのサイズが前記画像データのサイズよりも小さい場合、前記指示手段は前記画像データを前記電子ペーパーのサイズに縮小して表示するように指示することを特徴とする請求項１又は２に記載の画像読取装置。
【請求項４】
前記選択手段によって前記画像データのサイズに基づく読み取りが選択され、且つ、前記電子ペーパーのサイズが前記画像データのサイズよりも小さい場合、前記指示手段は前記画像データを分割して前記電子ペーパーに表示するよう指示することを特徴とする請求項１乃至３の何れかに記載の画像読取装置。
【請求項５】
前記選択手段によって前記画像データのサイズに基づく読み取りが選択され、且つ、前記電子ペーパーのサイズが前記画像データのサイズよりも大きい場合、前記指示手段は前記電子ペーパーにおける前記画像データの表示位置を変更するよう指示することを特徴とする請求項１乃至４の何れかに記載の画像読取装置。
【請求項６】
前記画像の読み取りが、原稿搬送装置にセットされた電子ペーパーに対して実行されるか、原稿台上にセットされた電子ペーパーに対して実行されるかに応じて、前記指示手段は、異なる表示位置を指示することを特徴とする請求項５記載の画像読取装置。
【請求項７】
画像データに基づく画像を表示する電子ペーパーと通信可能な画像読取装置の制御方法であって、
前記電子ペーパーに表示された画像を読み取る際に、前記電子ペーパーのサイズに基づいて読み取るか前記画像データのサイズに基づいて読み取るかを選択する選択ステップと、
前記選択ステップによる選択結果に従って、前記電子ペーパーに表示させる画像の表示内容の変更を当該電子ペーパーに指示する指示ステップと、
を有することを特徴とする制御方法。
【請求項８】
画像データに基づく画像を表示する電子ペーパーと通信可能な画像読取装置に以下のステップを実行させるためのプログラムであって、
前記電子ペーパーに表示された画像を読み取る際に、前記電子ペーパーのサイズに基づいて読み取るか前記画像データのサイズに基づいて読み取るかを選択する選択ステップと、
前記選択ステップによる選択結果に従って、前記電子ペーパーに表示させる画像の表示内容の変更を当該電子ペーパーに指示する指示ステップと、
を有することを特徴とするプログラム。
【発明の詳細な説明】
【技術分野】
【０００１】
本発明は、原稿の画像を読み取る画像読取装置、画像読取装置の制御方法及びプログラムに関する。
【背景技術】
【０００２】
近年、原稿の画像を読み取る画像読取装置には原稿搬送装置が装着され、複数枚の原稿を原稿搬送装置にセットして、原稿を分離、搬送して光学系を固定し、原稿を搬送しながら読み取る原稿流し読み方式が一般的に使われている。また、原稿搬送装置がない画像読取装置の場合で複数枚の原稿を読み取る場合には、画像読取装置にある原稿台ガラスに1枚ずつ原稿をセットして光学系を走査することを繰り返す原稿固定読み方式が使われている。【０００３】
このような画像読取装置には、原稿サイズ検知機構が設けられているものが多い。例えば、原稿搬送装置を用いて読み取りを行う場合では搬送装置上のセンサ等を用いて原稿のサイズを決定し、そのサイズに応じて読み込みを行うことが可能である。そして、検知された原稿のサイズの用紙に印刷装置が印刷を行うことによって、コピー処理を実行することが可能である。【０００４】
また近年、紙とディスプレイの長所を併せ持つ「電子ペーパー」の開発が進められ、紙の代わりに電子ペーパーを使うことが考えられている。電子ペーパーを紙の代わりに使うことにより、無駄な紙の使用を抑制することができる。このような背景の中、電子ペーパーに表示した画像を画像読取装置で読み取る方法として、原稿搬送装置で紙原稿と電子ペーパーの双方を読み取る方法が提案されている。（例えば、特許文献１参照）。
【先行技術文献】
【特許文献】
【０００５】
【特許文献１】特開２００８−１４１５９０
【発明の概要】
【発明が解決しようとする課題】
【０００６】
ここで、電子ペーパーのサイズと電子ペーパーに表示されている画像データのサイズとが一致していない場合がある。例えば、Ａ４サイズの電子ペーパーに、Ａ３サイズの画像データを縮小してＡ４サイズの画像を表示している場合や、Ａ４サイズの電子ペーパーにＢ５サイズの画像データを表示している場合などである。【０００７】
この場合に画像読取装置が上記従来技術である原稿サイズ検知機構を用いて原稿の読み取りを行うと、検知される原稿のサイズと実際の画像データのサイズとが一致しないことになる。即ち、このような状況でコピー処理を行った場合、例えば、原稿サイズ検知機構によって検知されたＡ４サイズの用紙上にＢ５サイズの画像が印刷されることにより、無駄な余白を含んだ印刷物が得られることになってしまう。【０００８】
このように、原稿サイズ検知機構を用いて電子ペーパーの読み取りを行うと、原稿のサイズ（電子ペーパーそのもののサイズ）と、表示されている画像データのサイズとの不一致によって、ユーザの意図しない読み取りが行われてしまうおそれがある。又は、ユーザの意図しないコピー処理が実行されてしまうおそれがある。【０００９】
本発明はこのような問題に対してなされたものであり、画像読取装置が電子ペーパーを読み取る場合に、ユーザの意図しない読み取りが行われないようにすることを目的とする。
【課題を解決するための手段】
【００１０】
上記目的を達成するために、本発明の画像読取装置は、画像データに基づく画像を表示する電子ペーパーと通信可能な画像読取装置であって、前記電子ペーパーに表示された画像を読み取る際に、前記電子ペーパーのサイズに基づいて読み取るか前記画像データのサイズに基づいて読み取るかを選択する選択手段と、前記選択手段による選択結果に従って、前記電子ペーパーに表示させる画像の表示内容の変更を当該電子ペーパーに指示する指示手段とを有することを特徴とする。
【発明の効果】
【００１１】
本発明によれば、画像読取装置が電子ペーパーを読み取る場合に、ユーザの意図しない読み取りが行われないようにすることができる。
【図面の簡単な説明】
【００１２】
【図１】本実施例における画像形成装置の構成を示す図である
【図２】画像形成装置の制御部の構成を示す図である
【図３】原稿搬送装置及びイメージリーダの断面図である
【図４】イメージリーダ制御部の構成示す図である
【図５】画像形成装置において実行されるフローチャートである
【図６】画像形成装置の操作部に表示される画面の例である
【図７】画像形成装置において実行されるフローチャートである
【図８】画像形成装置において実行されるフローチャートである
【図９】画像形成装置の操作部に表示される画面の例である
【図１０】画像形成装置において実行されるフローチャートである
【図１１】画像分割設定の処理の具体例である
【図１２】画像が読み取られる領域を示す具体例である
【図１３】画像が読み取られる領域を示す具体例である
【図１４】画像形成装置において実行されるフローチャートである
【図１５】画像形成装置において実行されるフローチャートである
【図１６】画像形成装置において実行されるフローチャートである
【発明を実施するための形態】
【００１３】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１４】
図１は本実施形態における画像読取装置に適用される画像形成装置１０の構成を示す図である。画像形成装置１０は、イメージリーダ２００およびプリンタ部３００からなる画像形成装置本体、折り装置５００およびフィニッシャ６００を含んでいる。イメージリーダ２００の上部には、原稿搬送装置１００が装着されている。
【００１５】
原稿搬送装置１００は、画像形成装置１０の上部に開閉可能に設置されている。原稿トレイ１０５上にセットされた原稿を先頭頁から順に１枚ずつ給紙し、湾曲したパスを介して原稿台ガラス２０５の上へと搬送する。片面原稿を読み取る方法の１つは、原稿を所定の読取速度で読取位置Ｒ１へ搬送し、スキャナユニット２０６を読取位置Ｒ１で固定したまま原稿の読み取りを行い、読み取った原稿を排紙トレイ１０６に排出する原稿流し読み方式がある。もう１つの方法として、原稿台ガラス２０５の上で原稿を停止させ、スキャナユニット２０６を走査して原稿の読み取りを行う原稿固定読み取り方式がある。詳細な説明は後述する。
【００１６】
イメージリーダ２００は、原稿に記録された画像情報を光学的に読み取り、光電変換して画像データとして入力するものである。イメージリーダ２００は、原稿台ガラス２０５、図示しないランプとミラーを有するスキャナユニット２０６、レンズ２０７、イメージセンサ２０８等を有している。原稿搬送装置１００を使用しない場合は、原稿搬送装置を開き、原稿台ガラス２０５に原稿をセットして原稿の画像をスキャナユニット２０６の走査により読み込む。
【００１７】
レンズ２０７を介してイメージセンサ２０８により読み取られた原稿の画像は、画像処理されてハードディスク４１３に格納されるとともに、プリンタ制御部３０１を介して露光制御部３０５に送られる。露光制御部３０５は、画像信号に応じたレーザ光を出力する。このレーザ光が感光ドラム３０６に照射されると、感光ドラム３０６上には静電潜像が形成される。感光ドラム３０６上の静電潜像は現像器３０７により現像され、感光ドラム３０６上の現像剤はカセット３０８、３０９、手差し給紙部３１０および両面搬送パス３１１のいずれかから給送されたシートに転写部３１２で転写される。
【００１８】
現像剤が転写されたシートは定着部３１３に導かれると、現像剤の定着処理が施される。定着部３１３を通過したシートを、図示しないフラッパにより、一旦、パス３１５からパス３１４に導き、シートの後端がパス３１５を抜けた後、シートをスイッチバックさせてパス３１６から排出ローラ３１７に導く。これにより、現像剤が転写された面を下向きの状態（フェイスダウン）にして排出ローラ３１７によりプリンタ部３００から排出することが可能である。これを反転排紙という。このように、フェイスダウンで排出することにより、原稿搬送装置１００を用いて複数枚の原稿を読み取った画像をプリントする場合など、先頭頁から正しい頁順で画像形成を行うことが可能である。
【００１９】
尚、手差し給紙部３１０からＯＨＰシートなどの硬いシートに画像形成を行う場合、パス３１５に導くことなく、現像剤が転写された面を上向きの状態（フェイスアップ）のままで排出ローラ３１７から排出する。
【００２０】
また、シートの両面に画像形成を行う場合、シートを定着部３１３からパス３１５、パス３１４に導き、シートの後端がパス３１５を抜けた直後にシートをスイッチバックさせ、図示しないフラッパにより両面搬送パス３１１に導く。両面搬送パス３１１に導かれたシートに対し、再度、転写部３１２で静電潜像が転写され、定着部３１３で定着処理が施される。
【００２１】
このように、転写部３１２から両面搬送パス３１１を経由して再び転写部３１２に戻る一巡のパスの中に、Ａ４、Ｂ５等のハーフサイズ用紙が５枚入った状態でも搬送可能なように、パス長、ローラ配置、駆動系の分割がなされている。尚、これらの処理による排出頁順は、奇数頁が下向きになるように排出されるので、両面コピー時の頁順を合わせることができる。
【００２２】
排出ローラ３１７から排出されたシートは折り装置５００に送り込まれる。折り装置５００はシートをＺ折りに折りたたむ処理を行う。Ａ３サイズやＢ４サイズのシートで折り処理の指定がなされている場合、折り装置５００で折り処理が行われた後にフィニッシャ６００に送り込まれるが、それ以外のサイズのシートはそのままフィニッシャ６００に送り込まれる。フィニッシャ６００は製本処理、綴じ処理、穴あけなどの処理を行う。また、フィニッシャ６００の上部には、インサータ７００が設けられており、表紙、合紙等をフィニッシャ６００に給送する。
【００２３】
図２は画像形成装置１０の制御部の構成を示すブロック図である。画像形成装置全体を制御する制御部はＣＰＵ回路部４００を中心に構成されている。ＣＰＵ回路部４００には、ＣＰＵ４０１、ＲＯＭ４０２、ＲＡＭ４０３などが設けられている。
【００２４】
ＣＰＵ回路部４００は、ＣＰＵ４０１によって実行されるＲＯＭ４０２に格納されたプログラムおよびＲＡＭ４０３は制御データを一時的に保持する領域、制御に伴う演算の作業領域として用いられる。そして操作部８００を介してユーザに入力された設定に基づいて各制御部（イメージリーダ制御部２０１、画像信号制御部４０５、プリンタ制御部３０１、折り装置制御部５０１、フィニッシャ制御部６０１、外部インターフェース４０６等）を制御する。イメージリーダ制御部２０１は原稿搬送装置１００およびイメージリーダ２００を制御する。プリンタ制御部３０１はプリンタ部３００を制御する。折り装置制御部５０１は、折り装置５００を制御する。フィニッシャ制御部６０１はフィニッシャ６００を制御する。
【００２５】
操作部８００は、ＬＣＤ表示部を備える。ＬＣＤ上にタッチパネルシートが貼られており、システムの操作画面を表示するとともに、表示してあるキーが押されるとその位置情報をＣＰＵ回路部４００に伝える。この表示部には、後述する様々な画面が表示され、各画面においてユーザは指示を入力することができる。また、操作部８００は、テンキー、スタートキー、ストップキー、リセットキー等のハードキーを備え、ユーザが適宜操作可能である。
【００２６】
外部Ｉ／Ｆ４０６は外部コンピュータ４０７とのインターフェースであり、外部コンピュータ４０７からのプリントデータを画像信号制御部４０５に出力する。画像形成装置１０は、この外部Ｉ／Ｆ４０６を介して外部コンピュータ４０７と通信可能であり、インターフェースの種類はＬＡＮやＷＡＮ等のネットワークや、ＵＳＢ、セントロニクスインターフェース等の様々な形態が考えられる。
【００２７】
イメージリーダ制御部２０１は、イメージセンサ２０８で読み取られた画像およびスキャナユニット２０６内のイメージセンサで読み取られた画像を画像信号制御部４０５に出力する。そして画像信号制御部４０５からプリンタ制御部３０１に出力された画像データは露光制御部３０５に入力される。
【００２８】
次に、イメージリーダ２００と原稿搬送装置１００を使用した画像読み取りを行う方法について詳しく説明していく。
【００２９】
イメージリーダ２００の構成の簡単な説明と合わせて、原稿搬送装置（ＡＤＦ：Auto Document Feeder）１００における原稿読み取りを図３を用いて詳細に説明する。
【００３０】
ＡＤＦ１００は、原稿トレイ１０５上にセットされた複数ページにわたる原稿を先頭頁から順に１枚ずつ給紙し、湾曲したパスを介して原稿台ガラス上へと搬送する。イメージリーダ２００は、原稿台ガラス上の原稿から画像情報を光学的に読み取り、光電変換して画像データとして入力する。ＡＤＦ１００はイメージリーダ２００に対して開閉可能に設置されている。
【００３１】
イメージリーダ２００は、原稿台ガラス２０５、図示しないランプとミラーを有するスキャナユニット２０６等を備える。ＡＤＦ１００を使用しないで原稿の画像読取を行う場合は、ＡＤＦ１００を開き、原稿台ガラス２０５上に原稿をセットしてスキャナユニット２０６の走査により原稿の画像を読み取る。
【００３２】
ＡＤＦ１００内には、Ｓ１〜Ｓ６、ＶＲ１等の各種センサが配置されている。Ｓ１，Ｓ２は原稿トレイ１０２上に載置された原稿の縦方向（搬送方向）の長さを検知するラージサイズ検知センサ、スモールサイズ検知センサであり、原稿トレイ１０５内に配置されている。原稿幅ガイド１０７内には、図示しない幅検知ボリュームＶＲ１及び幅検知センサＳ３が配置されている。
【００３３】
原稿を１枚ずつ分離する分離ユニット１０３と搬送ローラ１０４との間の搬送路上には、原稿の先端及び後端を検知することにより分離給送の原稿を検知すると同時に原稿長さを計測するサイズセンサＳ４が配置されている。レジストローラ１０６の近傍には、原稿の先端を検知するリードセンサＳ５が配置されている。排紙ローラ１０９の近傍には、排紙センサＳ６が配置されている。また、図示していないが、原稿トレイ１０５上に原稿がセットされているかを判別する原稿セットセンサＳ７も配置されている。
【００３４】
イメージリーダ２００内には、ＡＤＦ１００の開閉角度を検知する開閉検知センサＳ８，Ｓ９が配置されている。この開閉検知センサＳ８，Ｓ９と、図示しないサイズセンサ及び露光動作によって原稿台ガラス２０５上に置かれた原稿のサイズを特定する。
【００３５】
ＡＤＦ１００は、原稿トレイ１０２の下部で分離ユニット１０３の近傍に、原稿トレイ１０５上に載置された電子ペーパーを検出するための電子ペーパー検出部１０１を備える。
【００３６】
イメージリーダ２００は、原稿台ガラス２０５の端部に、原稿台ガラス２０５上に載置された電子ペーパーを検出するための電子ペーパー検出部２０２を備える。また、イメージリーダ２００は、原稿台ガラス２０５の端部に、ページ切替え部２０３を備える。ページ切替え部２０３は、電子ペーパーと通信を行って、電子ペーパーに格納された画像ファイルの画像をページ毎に切替えて表面（又は裏面）に表示させる機能を有する。
【００３７】
電子ペーパーは、図示していないが、例えば、ポリマー・フィルムを用いた液晶ディスプレイ（ＰＦＬＣＤ）であって、任意の形状に変形することが可能なものである。また、電子ペーパーには無線通信タグであるＲＦＩＤが搭載されている。ＡＤＦ１００は、紙媒体と同様にして、電子ペーパーを搬送することが可能である。
【００３８】
本実施例における画像形成装置１０では、表面または裏面のいずれか一方に画像情報が記録された片面原稿を読み取る方法として、原稿流し読み方式（流し読取モード）と原稿固定読取方式（固定読取モード）がある。原稿流し読み方式では、原稿を所定の読取速度で読取位置Ｒ１へ搬送し、スキャナユニット２０６を読取位置Ｒ１で固定したまま原稿の読み取りを行い、読み取った原稿を排紙トレイ１０６に排出する。原稿固定読取方式では、原稿台ガラス２０５の上で原稿を停止させ、スキャナユニット２０６を走査して原稿の読み取りを行う。
【００３９】
具体的には、原稿トレイ１０２上に原稿が積載され、不図示の操作部でスタートキーが押下されると、図示しない繰り出しローラが回転して原稿束の最上紙を分離ユニット１０３へ引き込む。分離ユニット１０３に引き込まれた原稿は、一枚ずつ分離され、搬送ローラ１０４へと搬送される。レジストローラ１０６は、原稿の先端が到達したときには回転が停止しており、搬送ローラ１０４による搬送でループが形成されて原稿の斜行補正が行われた後に、回転を開始して原稿を読取部へ搬送する。
【００４０】
読取部では、レジストローラ１０６と読取ベルト１０８によって原稿を読取位置Ｒ１へ所定の速度で搬送していく。原稿の先端が読取位置Ｒ１に到達すると、読取位置Ｒ１の下に固定されたスキャナユニット２０６で露光動作が行われて、原稿を搬送しながら読取動作を行う。この読取方法が流し読取モードである。
【００４１】
一方、原稿の後端が読取位置Ｒ１に到達したときに原稿を停止させ、スキャナユニット２０６が原稿の一端から他端まで移動して走査することによって、画像読取を行うことが可能である。この読取方法が固定読取モードである。
【００４２】
原稿の読み取りが終了すると、読取ベルト１０８で排紙ローラ１０９へ搬送され、排紙ローラ１０９で排紙トレイ１０６へ排出する。
【００４３】
図４は、図２におけるイメージリーダ制御部２０１の概略構成を示すブロック図である。
【００４４】
ＣＰＵ回路部２０９は、ＣＰＵ２１０と、ＣＰＵ２１０により実行されるプログラムが格納されたＲＯＭ２１１と、制御データを一時的に保持したり、制御に伴う演算の作業領域として用いられるＲＡＭ２１２とを備える。ＣＰＵ２１０は、イメージリーダ２００及びＡＤＦ１００全体を制御する。
【００４５】
ＣＰＵ回路部２０９は、原稿の分離動作を行う分離モータＭ１を制御する。また、レジストローラ１０６を駆動するレジストモータＭ２を制御する。また、読取ベルト１０８、排紙ローラ１０９を駆動するベルトモータＭ３を制御する。
【００４６】
また、ＣＰＵ回路部２０９は、原稿トレイ１０２上に載置された原稿の長さを検知するためのラージサイズ検知センサＳ１及びスモールサイズ検知センサＳ２を制御する。また、ＣＰＵ回路部２０９は、原稿幅ガイド１０７内に配置された図示しない幅検知ボリュームＶＲ１および幅検知センサＳ３を制御する。また、ＣＰＵ回路部２０９は、原稿の先端及び後端を検知することにより分離給送の原稿を検知すると同時に原稿長さを計測するサイズセンサＳ４、原稿の先端を検知して読取信号を知らせるリードセンサＳ５や排紙センサＳ６を制御する。原稿セットセンサＳ７は、原稿トレイ１０２上に原稿がセットされているかを検出するためのセンサである。
【００４７】
ＣＰＵ回路部２０９は、イメージリーダ２００内に配置されたスキャナユニット２０６を移動走査するためのスキャナモータＭ４、開閉検知センサＳ８，Ｓ９が配置されている。ＣＰＵ回路部２０９は、スキャナユニット２０６内のランプやイメージセンサを制御するスキャナユニット制御部２０４に接続されている。
【００４８】
また、ＣＰＵ回路部２０９は、電子ペーパーを検出するための電子ペーパー検出部１０１，２０２、電子ペーパーのページを切替えるためのページ切替え部２０３に接続し、これらをＣＰＵ２１０により制御する。さらに、ＣＰＵ回路部２０９は、ＣＰＵ＿Ｉ／Ｆ２１３を介してＣＰＵ回路部４００内のＣＰＵ４０１とリアルタイムに通信を行う。
【００４９】
電子ペーパー検出部１０１，２０２には、ＲＦＩＤで電子ペーパーと通信するための不図示のアンテナや発信部、受信部などが設けられている。本実施例の画像形成装置１０は、電子ペーパー検出部１０１，２０２が備えるＲＦＩＤを使って電子ペーパーと通信可能である。なお、電子ペーパーを検出する手段としては、電子ペーパーに電極が設けられ、ＡＤＦから電力を与える構成であってもよいし、光学センサなどの反射率を検出してもよく、これに限ったものではない。
【００５０】
次に、画像形成装置１０において、複数ページにわたる画像ファイルが格納された電子ペーパーから画像読み取りを行う場合の動作処理について説明する。
【００５１】
図５は、画像形成装置１０により実行される電子ペーパー判別処理の一例を示すフローチャートである。本処理は、ＣＰＵ回路部４００内のＣＰＵ４０１が、ＲＯＭ４０２等の記憶部に記憶されたプログラムを読み出して実行することにより行われるものである。
【００５２】
まず、ユーザはＡＤＦ１００を開いて原稿台ガラス２０５上に原稿として電子ペーパーを載置する。ＣＰＵ２１０は、開閉センサＳ８、Ｓ９を監視し、開閉検知センサＳ８，Ｓ９がＯＦＦしたか否かを判定する（Ｓ１０１）。開閉検知センサＳ８，Ｓ９がＯＦＦしたときは、原稿台ガラス２０５上に原稿があると判断してステップＳ１０２へ進む。次に、ステップＳ１０２では、ＣＰＵ２１０は、電子ペーパー検出部２０２から検出信号を受信したか否かを判定する。ＣＰＵ１２２は、検出信号を受信しなかった場合（ステップＳ１０２でＮＯ）、原稿が紙媒体であると判断して操作部８００上の不図示のスタートキーが押下されるまで待機する（ステップＳ１０５）。そしてスタートキーが押下されたときは（ステップＳ１０５でＹＥＳ）、通常（紙媒体）の画像読取処理を実行する。
【００５３】
一方、電子ペーパー検出部２０２が電子ペーパーに搭載されたＲＦＩＤタグから信号を受信して、ＣＰＵ２１０が電子ペーパー検出部２０２から検出信号を受信したときは、原稿が電子ペーパーであると判断する（ステップＳ１０２でＹＥＳ）。次に、ステップＳ１０３では、ＣＰＵ２１０は電子ペーパーから各種情報を取得する（ステップＳ１０３）。取得する情報には、電子ペーパーに格納されている画像データの画像情報（ファイル情報）、と電子ペーパーの電子ペーパー情報とが含まれる。画像情報（ファイル情報）は、各ファイル（複数ファイルがある場合にはそれぞれのファイルに対して）のページ数や、画像データのサイズ等の情報である。電子ペーパー情報は、電子ペーパーそのもののサイズ等の情報である。
【００５４】
次に、ステップＳ１０４では、ＣＰＵ２１０は、ステップＳ１０３で取得した情報に基づいて、図６に示すような画面６００を操作部８００の表示部に表示し、ユーザに画像読取を行うファイルの選択を促す。図示例では、ファイル名「ａａａ」が選択されている（斜線部）。ユーザによりファイルが選択されると、不図示の設定画面を表示し、詳細な読取条件の設定を受け付ける。なお、設定画面については読取条件が可能なものであれば、その表示形式や方法は問わない。
【００５５】
画面６００においてファイル選択が終わった場合、ユーザはＯＫボタン６０１を押下する。一方、処理をキャンセルする場合には、ユーザはキャンセルボタン６０２を押下する。次に、ＣＰＵ２１０は、操作部８００上で不図示のスタートボタンが押下されたか否かを判定し（ステップＳ１０５）、スタートボタンが押下されたと判断したときは、設定された読取条件に基づいて電子ペーパーの画像読取処理を開始する。
【００５６】
なお、画像形成装置１０では、ＡＤＦ１００を利用した固定読取モードでの画像読み取りも可能である。この場合、不図示の原稿セットセンサＳ７により原稿トレイ１０５上に原稿が載置されたか否かを判定し、載置されたときは、図５のステップＳ１０２〜Ｓ１０５の処理を行う。原稿トレイ１０５上に載置された原稿か否かを判定するには、電子ペーパー検出部１０１を利用する。ステップＳ１０１〜Ｓ１０５の処理後に不図示のスタートキーが押下された場合、原稿トレイ１０５上の電子ペーパーを原稿台ガラス２０５まで搬送して停止させ、スキャナユニット２０６を走査して電子ペーパーに表示された画像の読み取りを行う。電子ペーパーの表示画像の切替えは、ページ切り替え部２０３により行われる。
【００５７】
図７は本実施例の画像形成装置１０において実行される読取動作を示すフローチャートである。本処理は、ＣＰＵ回路部４００内のＣＰＵ４０１が、ＲＯＭ４０２等の記憶部に記憶されたプログラムを読み出して実行することにより行われるものである。
【００５８】
まずＣＰＵ４０１は、原稿を読み取る際のサイズを示す読取サイズとして特定のサイズがユーザによって指定されているか、それとも自動（ＡＵＴＯ）が指定されているかを判断する（ステップＳ２０１）。ユーザによって読取サイズとして特定のサイズが指定されている場合（Ｓ２０１でＮｏ）は、ユーザによって指定されたサイズを読取サイズとして設定する（ステップＳ２０２）。一方、自動が設定されている場合（Ｓ２０１でＹｅｓ）は、原稿サイズ検知機構によって検知された原稿サイズを読取サイズとして設定する（ステップＳ２０３）。
【００５９】
そしてＣＰＵ４０１は、現在セットされている原稿が紙であるか電子ペーパーであるかを判断する（ステップＳ２０４）。電子ペーパーがセットされていると判断された場合には、電子ペーパー表示設定処理を行う（ステップＳ２０５）。
【００６０】
図８を用いて、電子ペーパー表示設定処理について具体的に説明する。本処理は、画像形成装置１０のＣＰＵ回路部４００内のＣＰＵ４０１が、ＲＯＭ４０２等の記憶部に記憶されたプログラムを読み出して実行することにより行われるものである。
【００６１】
まずＣＰＵ４０１は、Ｓ１０３において取得した情報の中から、電子ペーパーそのもののサイズを取得する（ステップＳ３０１）。また、Ｓ１０３において取得した情報の中から、Ｓ１０４においてユーザに選択されたファイルの画像データのサイズを取得する（ステップＳ３０２）。図６の例では、ファイル「ａａａ」が選択されており、この場合のサイズはＡ４となる。
【００６２】
次にＣＰＵ４０１は、Ｓ３０１とＳ３０２において取得したサイズを比較し、電子ペーパーのサイズと画像データのサイズとが一致するか否かを判断する（ステップＳ３０３）。サイズが一致すると判断された場合（Ｓ３０３でＹｅｓ）には、図７のＳ２０６へと進む。一方、サイズが一致しないと判断された場合（Ｓ３０３でＮｏ）には、図９の画面を画像形成装置１０の表示部に表示する。
【００６３】
図９は、読取サイズをユーザに選択させるための画面である。図９において、９０１にはＳ３０１で取得した電子ペーパーのサイズが表示され、９０２にはＳ３０２で取得した画像データのサイズが表示される。ユーザは、電子ペーパーのサイズに従って読み取りを行わせるか、画像データのサイズに従って読み取りを行わせるかを９０３と９０４のキーを押下することによって選択可能である。そして、これらのキーの選択結果に従って、読取サイズが決定する。即ち、９０３又は９０４が押下された状態で、ＯＫキー９０５を押下すると、読取サイズが決定する。
【００６４】
ＣＰＵ４０１は、読取サイズとして電子ペーパーのサイズが選択されたか画像データのサイズが選択されたかを判断する（ステップＳ３０５）。図９の画面を介してユーザによって電子ペーパーのサイズが選択されていた場合（Ｓ３０５でＹｅｓ）には、ＣＰＵ４０１は読取サイズとして電子ペーパーのサイズを設定する（ステップＳ３０６）。
【００６５】
その後ＣＰＵ４０１は、電子ペーパーのサイズと画像データのサイズとを比較し、電子ペーパーのサイズの方が大きいか否かを判断する（ステップＳ３０７）。電子ペーパーのサイズの方が大きいと判断された場合（Ｓ３０７でＹｅｓ）、電子ペーパーに表示される画像データを電子ペーパーのサイズに拡大して表示する。一方、電子ペーパーのサイズの方が小さいと判断された場合（Ｓ３０７でＮｏ）、電子ペーパーに表示される画像データを電子ペーパーのサイズに縮小して表示する。
【００６６】
図９の画面を介してユーザによって画像データのサイズが選択されていた場合（Ｓ３０５でＮｏ）には、ＣＰＵ４０１は読取サイズとして画像データのサイズを設定する（ステップＳ３１０）。
【００６７】
その後ＣＰＵ４０１は、電子ペーパーのサイズと画像データのサイズとを比較し、電子ペーパーのサイズの方が大きいか否かを判断する（ステップＳ３１１）。電子ペーパーのサイズの方が大きいと判断された場合（Ｓ３１１でＹｅｓ）、電子ペーパーに表示される画像データの表示位置を移動させるための設定（画像移動設定）を行う（ステップＳ３１３）。一方、電子ペーパーのサイズの方が小さいと判断された場合（Ｓ３０７でＮｏ）、電子ペーパーに表示される画像データを電子ペーパーのサイズに併せて分割して表示するための設定（画像分割設定）を行う（ステップＳ３１２）。
【００６８】
図１０及び図１１を用いて、Ｓ３１２において実行される画像分割設定の処理について具体的に説明する。
【００６９】
図１０は、画像分割設定の処理を示すフローチャートであり、各ステップは、画像形成装置１０のＣＰＵ回路部４００内のＣＰＵ４０１が、ＲＯＭ４０２等の記憶部に記憶されたプログラムを読み出して実行することにより行われる。
【００７０】
ＣＰＵ４０１は、まず表示対象となっている画像データの副走査長Ｌ１を取得する（ステップＳ４０１）。次に、電子ペーパーの副走査長Ｌ２を取得する（ステップＳ４０２）。そしてＣＰＵ４０１は、Ｌ１／Ｌ２を計算することによって分割枚数を算出する（ステップＳ４０３）。また、Ｌ１／Ｌ２の計算において余りが出るか否かを判断し（ステップＳ４０４）、余りが出る場合には分割枚数Ｎに１を加えたもの（Ｎ＋１）を分割枚数とする（ステップＳ４０５）。以上の処理を行うことによって、分割枚数Ｎを求める。図１１は、電子ペーパーのサイズがＡ４（Ａ４横向き）で、画像データのサイズがＡ３（Ａ３縦向き）だった場合の、画像分割設定の処理の具体例である。まず、画像データの副走査長Ｌ１は４２０ｍｍであり、電子ペーパーの副走査長Ｌ２は２１０ｍｍである。そして分割枚数Ｎ＝Ｌ１／Ｌ２は２となる。この場合余りは出ないので、分割枚数Ｎ＝２となる。
【００７１】
次に、図１２〜図１４を用いて、Ｓ３１３において実行される画像移動設定の処理について具体的に説明する。
【００７２】
まず、原稿台ガラス上に原稿をセットして読み取りを行う場合の読み取られる領域について図１２を用いて説明する。
【００７３】
読取開始位置は、原稿台ガラス上の原点X0から読取を開始し、原稿サイズ分の領域を読み取る。電子ペーパーの表示領域が表示対象の画像データのサイズより大きい場合、画像データは、センタリング/右寄せ/左寄せ等の位置調整が行われて表示される。仮に主副走査方向共にセンタリングして表示した場合、電子ペーパーの表示領域はＡ１の領域になるのに対し、画像データの表示される領域はＡ２である。原稿の読取はＸ０を基準として行われるため、読取サイズに画像データのサイズを設定し、ユーザが読み取りを行った場合、Ａ３の領域のみが読み取られることになる。この場合、画像データの一部の領域が読み取られることなく欠落することになる。
【００７４】
次にＡＤＦを利用して読み取りを行う場合の読み取られる領域について図１３を用いて説明する。
【００７５】
ＡＤＦを利用した場合、読取センサの中心を基準として設定された主走査幅を有効画像領域として読み取る（センター基準読み取り）。電子ペーパーの表示領域（Ａ４）が表示対象の画像データのサイズより大きな場合、画像データのサイズに合わせてＡＤＦが読み取りを行う領域はＡ６の領域である。ここで、電子ペーパーにおける画像データの表示位置が右上基準となっていた場合、実際にＡＤＦによって読み取られる領域はＡ６であるのに対して、画像データが表示されている領域がＡ５である。この場合も、画像データの一部の領域が読み取られることなく欠落することになる。
【００７６】
このような問題から、Ｓ３１３では、画像移動設定の処理を行う。図１４は、画像移動設定の処理を示すフローチャートであり、各ステップは、画像形成装置１０のＣＰＵ回路部４００内のＣＰＵ４０１が、ＲＯＭ４０２等の記憶部に記憶されたプログラムを読み出して実行することにより行われる。
【００７７】
まずＣＰＵ４０１は、原稿台から原稿を読み取るのか、ＡＤＦを用いて読み取るのかを判断する（ステップＳ５０１）。原稿台から読み取りを行う場合（Ｓ５０１でＹｅｓ）、電子ペーパーに表示する画像データの表示位置を、原稿台上の読取開始位置、すなわち、図１２のＡ３の領域に移動させる設定を行う（ステップＳ５０２）。一方、ＡＤＦから読み取りを行う場合（Ｓ５０１でＮｏ）、電子ペーパーに表示する画像データの表示位置を図１３のＡ６の領域に移動させる設定を行う（ステップＳ５０３）。
【００７８】
図８、図１０、図１４それぞれの処理によって、電子ペーパー表示設定の処理が終了した場合、図７のフローにおいてステップＳ３０６へと進む。ＣＰＵ４０１は、図８、図１０、図１４の処理によって、電子ペーパーの表示を変更する必要があるか否かを判断する（ステップＳ３０６）。表示の変更が必要な場合（Ｓ３０６でＹｅｓ）には、電子ペーパーに対して表示変更指示を行うための処理を行う（ステップＳ３０７）。
【００７９】
図１５を用いて、画像形成装置１０が電子ペーパーに対して表示変更の指示を行うための処理について説明する。図１５のフローチャートの各ステップは、画像形成装置１０のＣＰＵ回路部４００内のＣＰＵ４０１が、ＲＯＭ４０２等の記憶部に記憶されたプログラムを読み出して実行することにより行われる。
【００８０】
まずＣＰＵ４０１は、Ｓ１０３において取得した情報の中から、電子ペーパーそのもののサイズを取得する（ステップＳ６０１）。ここで取得される情報は、電子ペーパーの主走査長（Ｗｄ）と副走査長（Ｌｄ）である。
【００８１】
次に、ＣＰＵ４０１は、図１４の処理によって画像データの表示位置の移動が設定されているか否かを判断する（ステップＳ６０２）。表示位置の移動が設定されている場合（Ｓ６０２でＹｅｓ）には、読み取りが原稿台からかＡＤＦからかを判断する（ステップＳ６０３）。ここで、電子ペーパーの表示領域の左上を原点（Ｘ＝０，Ｙ＝０）とする。原稿台からの読み取りである場合（Ｓ６０３でＹｅｓ）には、画像データの表示位置を原点（Ｘ＝０、Ｙ＝０）に設定する（ステップＳ６０６）。一方、ＡＤＦからの読み取りである場合（Ｓ６０３でＮｏ）には、画像データの表示位置をＹ＝０、Ｘ＝Ｗｄ／２−Ｗｇ／２に設定する（ステップＳ６０４，６０５）。尚、Ｗｇは表示対象の画像データの主走査長である。
【００８２】
Ｓ６０２における判断において、表示位置の移動が設定されていない場合（Ｓ６０２でＮｏ）には、ステップＳ６０７へと進む。この場合は、表示する画像データの表示サイズを変更する場合である。
【００８３】
まずCPU４０１は、電子ペーパーと通信し、電子ペーパーの向きと表示対象の画像データの向きを揃えさせる。即ち、電子ペーパーが縦置きであれば画像データも縦向きにし、電子ペーパーが横置きであれば画像データも横向きにする。
【００８４】
その後ＣＰＵ４０１は、表示対象の画像データを電子ペーパーのサイズに合わせて表示するために画像データを拡大（又は縮小）するための変倍率を計算する。まず、主走査方向の変倍率ＭａｇＸ＝Ｗｄ／Ｗｇを計算する（ステップＳ６０８）。次に副走査方向の変倍率ＭａｇＹ＝Ｌｄ／Ｌｇを計算する（ステップＳ６０９）。そして、それぞれの変倍率を算出後、画像データのアスペクト比を維持するために、変倍率の小さい方の値を、他方に設定する。まずＣＰＵ４０１は、算出したＭａｇＸとＭａｇＹの大小を比較する（ステップＳ６１０）。比較の結果、ＭａｇＸの値の方が大きかった場合（Ｓ６１０でＹｅｓ）、ＭａｇＸの値としてＭａｇＹの値を用いる（ステップＳ６１１）。即ち、変倍率としてＭａｇＹの値に統一する。一方、比較の結果、ＭａｇＹの値の方が大きかった場合（Ｓ６１０でＮｏ）、ＭａｇＹの値としてＭａｇＸの値を設定する（ステップＳ６１２）。即ち、変倍率としてＭａｇＸの値を用いる。
【００８５】
ＣＰＵ４０１は、算出されたＭａｇＸ，ＭａｇＹ，Ｘ，Ｙそれぞれの値を電子ペーパーに対して設定する（ステップＳ６１３）。以上が、画像形成装置１０が電子ペーパーに対して表示変更の指示を行うための処理である。
【００８６】
図１５の処理が終了すると、図７において、ステップＳ３０８へと進み、原稿画像の読み取り動作が実行される。
【００８７】
図１６は図７のＳ２０８における画像形成装置１０の原稿読取動作を具体的に示すフローチャートである。図１６の各ステップは、画像形成装置１０のＣＰＵ回路部４００内のＣＰＵ４０１が、ＲＯＭ４０２等の記憶部に記憶されたプログラムを読み出して実行することにより行われる。
【００８８】
まずＣＰＵ４０１は、読取回数Ｔの値を０に初期化する（ステップＳ７０１）。そして、イメージリーダ制御部２０１の制御の下、原稿画像の読み取りを実行する（ステップＳ７０２）。その後、ＣＰＵ４０１は、図１０のフローに基づいて画像分割設定がなされているか否かを判断する（ステップＳ７０３）。画像分割設定がなされていない場合には原稿読取動作を終了する。一方、画像分割設定がなされている場合には、図１０のフローによって算出された分割枚数Ｎの値を取得する。そして、ＣＰＵ４０１は読取回数Ｔの値を１インクリメントする（ステップＳ７０４）。ＣＰＵ４０１は、Ｓ７０４において１インクリメントされたＴの値が、分割枚数Ｎと等しいか否かを判断する（ステップＳ７０５）。等しくない場合（Ｓ７０５でＮｏ）、ＣＰＵ４０１は、電子ペーパーに対して画像データの表示内容を変更する指示を行う（ステップＳ７０６）。即ち、Ｓ７０２で読取動作が実行された際に表示していなかった残りの画像データ（分割された残りの画像データ）を電子ペーパーに表示するように、指示を行う。図１１の例では、Ａ４サイズの電子ペーパーに、Ａ３サイズの画像データの半分（「１」を示す画像データ）がまず表示され、電子ペーパーはＳ７０６における指示に応じて、残りの半分（「２」を示す画像データ）を表示することになる。
【００８９】
その後再びフローはステップＳ７０２へと進み、読み取りが実行される。Ｓ７０５の判断において読取回数Ｔの値がＮと等しくなった場合、ＣＰＵ４０１の制御の下、これまでに読み取られたＮ枚の画像を結合し、一枚の画像データを生成する処理が行われる（ステップＳ７０７）。
【００９０】
以上の処理を行うことによって画像形成装置１０において原稿画像の読取動作が行われる。上記実施例では、電子ペーパーに格納される画像データが１ページの場合で説明したが、複数ページの画像データであった場合には、上記処理を各ページに対して繰り返して実行することになる。ユーザがコピー処理を指示した場合に、この読み取られた画像データは、所定の画像処理が実行された後、プリンタ部において印刷されることになる。また、この読み取られた画像データを画像形成装置１０がネットワークを介して他の装置に送信してもよいし、ＦＡＸ送信に用いてもよい。又は、画像形成装置１０が備える記憶部に画像データとして記憶してもよい。
【００９１】
本実施例によれば、電子ペーパーのサイズと画像データのサイズとが異なっていた場合でも、ユーザが所望の読取サイズを選択できるようになる。そして、読取サイズとして電子ペーパーのサイズが選ばれた場合でも画像データのサイズが選ばれた場合でも、それぞれの場合においてユーザが意図しない読み取りが行われないようにすることができる。
（他の実施例）
尚、上記実施例では、画像読取装置の一例として、プリンタ部等を備える画像形成装置について説明したが、少なくともスキャナユニットを備える装置であればその他の装置であっても構わない。
【００９２】
また、上記実施例では、画像サイズによる縮小、拡大を行っているが、解像度を変更することによっても同様に縮小、拡大を行うことができる。即ち、例えば主走査方向、副走査方向に５０％の変倍を行う代わりに、６００ｄｐｉであった画像データを３００ｄｐｉで表示するようにしてもよい。
【００９３】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【符号の説明】
【００９４】
４０１  ＣＰＵ
４０２  ＲＯＭ
４０３  ＲＡＭ
【図１】
2010150363.tif 000003
【図２】
2010150363.tif 000004
【図３】
2010150363.tif 000005
【図４】
2010150363.tif 000006
【図５】
2010150363.tif 000007
【図６】
2010150363.tif 000008
【図７】
2010150363.tif 000009
【図８】
2010150363.tif 000010
【図９】
2010150363.tif 000011
【図１０】
2010150363.tif 000012
【図１１】
2010150363.tif 000013
【図１２】
2010150363.tif 000014
【図１３】
2010150363.tif 000015
【図１４】
2010150363.tif 000016
【図１５】
2010150363.tif 000017
【図１６】
2010150363.tif 000018
【国際調査報告】
2010150363.tif 000019
2010150363.tif 000020
2010150363.tif 000021
2010150363.tif 000022